(57)【特許請求の範囲】
【請求項１】
複数のＬＥＤ素子がＬＥＤ基板に配列される照明負荷部と、
前記複数のＬＥＤ素子に電流を供給する電源部と、
前記複数のＬＥＤ素子の点灯および調光状態を制御する制御部と、を備え、
前記制御部は、前記ＬＥＤ基板に配列される前記複数のＬＥＤ素子のうちの、前記ＬＥＤ基板の外周に沿って配置される、最も外側のＬＥＤ素子群の一部である２個以上を、常夜灯として点灯または調光させる照明器具。
【請求項２】
請求項１に記載の照明器具において、
前記常夜灯として、電源が投入される毎に、前記最も外側のＬＥＤ素子群のＬＥＤ素子が、順次に点灯または調光される照明器具。
【請求項３】
請求項１に記載の照明器具において、
前記常夜灯として、一定の時間の点灯の経過後に、前記最も外側のＬＥＤ素子群のＬＥＤ素子が、順次に点灯または調光される照明器具。
【発明の詳細な説明】
【技術分野】
【０００１】
本発明は、ＬＥＤ素子を光源として常夜灯機能を有する照明器具に関する。
【背景技術】
【０００２】
従来より、リモコン信号を受信する受光素子の周囲に複数の常夜灯用ＬＥＤが配置された照明器具が知られている（例えば、特許文献１参照）。
特許文献１に記載された従来の照明器具は、放電灯を点灯制御する点灯回路の電子部品が実装された点灯回路基板に、受光素子および複数の常夜灯用ＬＥＤが実装される。
【先行技術文献】
【特許文献】
【０００３】
【特許文献１】特開２００８−９８１１６号公報（図１、請求項１）
【発明の概要】
【発明が解決しようとする課題】
【０００４】
前述した特許文献１に記載された照明器具は、単一の点灯回路基板に、放電灯を点灯制御する点灯回路の電子部品と、受光素子と、複数の常夜灯用ＬＥＤとが実装されるために、複数の常夜灯用ＬＥＤと受光素子とが別々に配置される場合と比べて、複数の常夜灯用ＬＥＤおよび受光素子の配置スペースをコンパクトにできる。
しかし、前述した特許文献１に記載された照明器具は、常夜灯用ＬＥＤが主照明用ＬＥＤとは別に配置されていた。
【０００５】
従って、前述した特許文献１に記載された照明器具は、部品点数が多くなってコスト面で不利である。
また、前述した特許文献１に記載された照明器具は、複数の常夜灯用ＬＥＤが同時に点灯される。
従って、前述した特許文献１に記載された照明器具は、複数の常夜灯用ＬＥＤがほぼ同時に寿命を迎えた場合に、複数の常夜灯用ＬＥＤが全て点灯されなくなって常夜灯切れを起こす。
【０００６】
本発明は、前述した課題を解決するためになされたものであり、その目的は、コスト面で有利に常夜灯切れを起こし難くできる照明器具を提供することにある。
【課題を解決するための手段】
【０００７】
本発明に係る照明器具は、複数のＬＥＤ素子がＬＥＤ基板に配列される照明負荷部と、前記複数のＬＥＤ素子に電流を供給する電源部と、前記複数のＬＥＤ素子の点灯および調光状態を制御する制御部と、を備え、前記制御部は、前記ＬＥＤ基板に配列される前記複数のＬＥＤ素子のうちの、前記ＬＥＤ基板の外周に沿って配置される、最も外側のＬＥＤ素子群の一部である２個以上を、常夜灯として点灯または調光させる。
【０００８】
本発明に係る照明器具は、前記常夜灯として、電源が投入される毎に、前記最も外側のＬＥＤ素子群のＬＥＤ素子が、順次に点灯または調光される。
【０００９】
本発明に係る照明器具は、前記常夜灯として、一定の時間の点灯の経過後に、前記最も外側のＬＥＤ素子群のＬＥＤ素子が、順次に点灯または調光される。
【発明の効果】
【００１２】
本発明に係る照明器具によれば、コスト面で有利に常夜灯切れを起こし難くできるという効果を奏する。
【図面の簡単な説明】
【００１３】
【図１】本発明に係る第１実施形態の照明器具のフル点灯時の底面図
【図２】本発明に係る第１実施形態の照明器具の回路構成図
【図３】本発明に係る第１実施形態の照明器具の消灯時の底面図
【図４】本発明に係る第１実施形態の照明器具の調光時の底面図
【図５】本発明に係る第１実施形態の照明器具の常夜灯点灯時の底面図
【図６】本発明に係る第１実施形態の照明器具の制御動作を説明するフローチャート
【図７】本発明に係る第２実施形態の照明器具のフル点灯時の底面図
【図８】本発明に係る第２実施形態の照明器具の消灯時の底面図
【図９】本発明に係る第２実施形態の照明器具の調光時の底面図
【図１０】本発明に係る第２実施形態の照明器具の常夜灯点灯時の底面図
【図１１】本発明に係る第３実施形態の照明器具の常夜灯点灯時の底面図
【図１２】本発明に係る第３実施形態の照明器具の回路構成図
【図１３】本発明に係る第４実施形態の照明器具の常夜灯点灯時の底面図
【図１４】本発明に係る第５実施形態の照明器具の常夜灯点灯時の底面図
【図１５】本発明に係る第６実施形態の照明器具の常夜灯点灯時の底面図
【図１６】本発明に係る第７実施形態の照明器具の常夜灯点灯時の底面図
【図１７】本発明に係る第８実施形態の照明器具の常夜灯点灯時の底面図
【図１８】本発明に係る第９実施形態の照明器具の常夜灯点灯時の底面図
【図１９】本発明に係る第９実施形態の照明器具の好ましい作用を説明する側面図
【図２０】本発明に係る第９実施形態の照明器具の好ましくない作用を説明する側面図
【図２１】本発明に係る第１０実施形態の照明器具の常夜灯点灯時の底面図
【発明を実施するための形態】
【００１４】
以下、本発明に係る複数の実施形態の照明器具について図面を参照して説明する。
(第１実施形態)
本発明に係る第１実施形態の照明器具１０は、器具本体１１と、複数のＬＥＤ素子１３を配列させた照明負荷部１２と、複数のＬＥＤ素子１３に電流を供給する電源部１４と、複数のＬＥＤ素子１３の点灯および調光状態を制御する制御部１５とを備える。
【００１５】
図１に示すように、照明負荷部１２は、スクエア形の器具本体１１の下面に配置された四角形の板形状のＬＥＤ基板１６の下面に複数のＬＥＤ素子１３が横列および縦列に実装されている。ＬＥＤ素子１３は照射角が狭い。
【００１６】
図２に示すように、照明負荷部１２は、定電圧電源を有する電源部１４からの電源ラインおよび接地ラインに複数のＬＥＤ素子１３が並列に接続されている。ＬＥＤ素子１３は、スイッチング素子ＴＲおよび抵抗Ｒに接続されている。抵抗Ｒは、一方が電源ラインに、他方がＬＥＤ素子１３のアノードに接続されている。スイッチング素子ＴＲは、ＮＰＮ型であり、コレクタがＬＥＤ素子１３のカソードに、エミッタが接地ラインに、ベースが制御部１５に有するマイコンＣＰＵのＰＷＭポート（ＰＷＭ１・・・ＰＷＭｎ）に接続されている。
【００１７】
制御部１５は、マイコンＣＰＵを装備している。マイコンＣＰＵは、リモコン信号受光部１７に接続されている。リモコン信号受光部１７は、不図示のリモートコントローラーが使用者に操作されることにより送信された指令信号を受信して、フル点灯モードと、調光モードと、常夜灯モードと、消灯モードとを設定するための制御信号をマイコンＣＰＵに与える。
【００１８】
マイコンＣＰＵは、リモコン信号受光部１７により受光されて処理された電気信号に応じて、０Ｖと５Ｖとからなるパルス状のＰＷＭ制御信号をＰＷＭポートに印加する。つまり、マイコンＣＰＵのＰＷＭポートに５Ｖが印加されると、ベース電流が生じてスイッチング素子ＴＲがオンされてＬＥＤ素子１３が発光されてダイナミック点灯が行われ、マイコンＣＰＵのＰＷＭポートに０Ｖが印加されると、ベース電流が生じずにスイッチング素子ＴＲがオフされてＬＥＤ素子１３が発光されない。マイコンＣＰＵは、決定されたデューティ比に基づいてオンおよびオフが繰り返される。マイコンＣＰＵは、複数のスイッチング素子１３に対して個別に制御を行う。
【００１９】
照明負荷部１２は、フル点灯モードと、調光モードと、常夜灯モードと、消灯モードとが順次に繰り返されて実行される。
なお、フル点灯モードと、調光モードと、常夜灯モードと、消灯モードとの順次の切り換えは、電源の入り切りのタイミングやプルスイッチにより実行されるようにしてもよい。
【００２０】
図１に戻り、照明負荷部１２は、フル点灯モードが設定されることにより、全てのＬＥＤ素子１３が点灯される。
図３に示すように、照明負荷部１２は、調光モードが設定されることにより、設定された調光比で全てのＬＥＤ素子１３が点灯される。
図４に示すように、照明負荷部１２は、常夜灯モードが設定されることにより、全てのＬＥＤ素子１３のうちの中央部の選択された１個のＬＥＤ素子１３のみが点灯または調光され、他のＬＥＤ素子１３が消灯される。照明負荷部１２は、中央部の１個のＬＥＤ素子１３が常夜灯として機能する。
【００２１】
従って、ＬＥＤ素子１３は、被照射面を照射する主照明用のＬＥＤ素子１３の一部が常夜灯として点灯または調光されるために、主照明用ＬＥＤと常夜灯用ＬＥＤとが別構成されていた従来のものと比べて、部品点数が大幅な減少してコスト面で有利にできる。また、複数の常夜灯用ＬＥＤが同時に点灯される従来のものと比べて、常夜灯切れを起こし難くできる。
図５に示すように、照明負荷部１２は、消灯モードが設定されることにより、全てのＬＥＤ１３が消灯される。
【００２２】
次に、照明器具１０の制御動作について説明する。
図６に示すように、制御が開始され、リモートコントローラーからの指令信号が受信され、リモートコントローラーからの指令信号がフル点灯モードであると、マイコンＣＰＵは、全てのＬＥＤ素子１３がフル点灯するようにＰＷＭ制御信号をＰＷＭポートに与える（図１参照、Ｓ１→Ｓ２→Ｓ３）。
このとき、リモートコントローラーからの指令信号が受信されないと、リモートコントローラーからの指令信号が受信されるまで待機状態となる（Ｓ１）。
【００２３】
リモートコントローラーからの指令信号が受信され、リモートコントローラーからの指令信号がフル点灯モードではなく、調光モードであると、マイコンＣＰＵは、全てのＬＥＤ素子１３が任意の調光レベルで点灯するようにＰＷＭ制御信号をＰＷＭポートに与える（図３参照、Ｓ１→Ｓ２→Ｓ４→Ｓ５）。
【００２４】
リモートコントローラーからの指令信号が受信され、リモートコントローラーからの指令信号がフル点灯モードではなく、調光モードではなく、常夜灯モードであると、マイコンＣＰＵは、全てのＬＥＤ素子１３のうちの中央部の選択された１個のＬＥＤ素子１３のみがフル点灯、もしくは任意の調光レベルで点灯するようにＰＷＭ制御信号をＰＷＭポートに与え、他のＬＥＤ素子１３は消灯するようにＰＷＭ制御信号をＰＷＭポートに与える（図４参照、Ｓ１→Ｓ２→Ｓ４→Ｓ６→Ｓ７）。
【００２５】
リモートコントローラーからの指令信号が受信され、リモートコントローラーからの指令信号がフル点灯モードではなく、調光モードではなく、常夜灯モードではなく、消灯モードであると、マイコンＣＰＵは、全てのＬＥＤ素子１３が消灯するようにＰＷＭ制御信号をＰＷＭポートに与える（図５参照、Ｓ１→Ｓ２→Ｓ４→Ｓ６→Ｓ８→Ｓ９）。
【００２６】
以上、説明したように第１実施形態の照明器具１０によれば、照明負荷部１２の複数のＬＥＤ素子１３の一部を常夜灯として点灯または調光させるために、ＬＥＤ素子１３は、被照射面を照射する主照明用のＬＥＤ素子１３の一部が常夜灯として点灯または調光されるために、主照明用ＬＥＤと常夜灯用ＬＥＤとが別構成されていた従来のものと比べて、部品点数が大幅な減少してコスト面で有利にできる。また、第１実施形態の照明器具１０によれば、複数の常夜灯用ＬＥＤが同時に点灯される従来のものと比べて、常夜灯切れを起こし難くできる。
【００２７】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２８】
図７に示すように、本発明に係る第２実施形態の照明器具２０は、照明負荷部２１に、丸形の器具本体２２の下面に配置された円形の板形状のＬＥＤ基板２３の下面に複数のＬＥＤ素子１３が実装されている。照明器具２０は、図２に示したものと同様の回路が適用される。
【００２９】
照明負荷部２１は、フル点灯モードが設定されることにより、全てのＬＥＤ素子１３が点灯される。
図８に示すように、照明負荷部２１は、調光モードが設定されることにより、設定された調光比で全てのＬＥＤ素子１３が点灯される。
図９に示すように、照明負荷部２１は、常夜灯モードが設定されることにより、全てのＬＥＤ素子１３のうちの中央部の選択された１個のＬＥＤ素子１３のみが点灯または調光され、他のＬＥＤ素子１３が消灯される。照明負荷部２１は、中央部の１個のＬＥＤ素子１３が常夜灯として機能する。
図１０に示すように、照明負荷部２１は、消灯モードが設定されることにより、全てのＬＥＤ１３が消灯される。
【００３０】
（第３実施形態）
次に、本発明に係る第３実施形態の照明器具について説明する。
図１１に示すように、本発明に係る第３実施形態の照明器具３０は、照明負荷部３１に、スクエア形の器具本体３２の下面に配置された四角形の板形状のＬＥＤ基板３３の下面に複数のＬＥＤ素子１３が実装されている。
【００３１】
照明負荷部３１は、電源が投入される毎に、常夜灯となるＬＥＤ素子１３の点灯位置が移動されて記憶される。すなわち、電源が投入されると、図１１中の一番左に示すように、上から３列目の一番左のＬＥＤ素子１３のみが点灯され、次に、図１１中の左から２番目に示すように、上から３列目の左から２番目のＬＥＤ素子１３のみが点灯され、以後、図１１中の上から３列目のＬＥＤ素子１３が右方向に順次に点灯されていく。
図１２に示すように、照明器具３０は、マイコンＣＰＵにＥＥＰＲＯＭ記憶部３４を有するために、常夜灯として点灯されているＬＥＤ素子１３の位置が記憶される。
【００３２】
第３実施形態の照明器具３０によれば、常夜灯として、複数のＬＥＤ素子１３が順次に点灯または調光されるために、点灯されるＬＥＤ素子１３単位の総点灯時間が短くなって常夜灯切れを確実に防止できる。
【００３３】
次に、第３実施形態の照明器具３０の変形例について説明する。
本変形例は、マイコンＣＰＵに有するＥＥＰＲＯＭ記憶部３４により、常夜灯として点灯されているＬＥＤ素子１３の点灯時間がカウントされ、一定時間後に、常夜灯として点灯されているＬＥＤ素子１３の位置が記憶される。
【００３４】
本変形例によれば、常夜灯として、一定の時間の点灯の経過後に、複数のＬＥＤ素子１３が順次に点灯または調光されるために、点灯されるＬＥＤ素子１３単位の総点灯時間が短くなって常夜灯切れを確実に防止できる。
【００３５】
（第４実施形態）
次に、本発明に係る第４実施形態の照明器具について説明する。
図１３に示すように、本発明に係る第４実施形態の照明器具４０は、照明負荷部４１に、丸形の器具本体４２の下面に配置された円形の板形状のＬＥＤ基板４３の下面に複数のＬＥＤ素子１３が実装されている。照明器具４０は、図１２に示したものと同様の回路が適用される。
【００３６】
照明負荷部４１は、電源が投入される毎に、常夜灯となるＬＥＤ素子１３の点灯位置が移動されて記憶される。すなわち、電源が投入されると、図１３中の一番左に示すように、中央部の下方のＬＥＤ素子１３のみが点灯され、次に、図１３中の左から２番目に示すように、中央部の右方のＬＥＤ素子１３のみが点灯され、以後、図１３中の中央部の４個のＬＥＤ素子１３が反時計回転方向に順次に点灯されていく。
【００３７】
（第５実施形態）
次に、本発明に係る第５実施形態の照明器具について説明する。
図１４に示すように、本発明に係る第５実施形態の照明器具５０は、照明負荷部５１に、スクエア形の器具本体５２の下面に配置された四角形の板形状のＬＥＤ基板５３の下面に複数のＬＥＤ素子１３が実装されている。
【００３８】
照明負荷部５１は、常夜灯モードが設定されることにより、全てのＬＥＤ素子１３のうちの中央部の選択された２個のＬＥＤ素子１３が点灯または調光され、他のＬＥＤ素子１３が消灯される。照明負荷部５１は、中央部の２個のＬＥＤ素子１３が常夜灯として機能する。
なお、常夜灯モードにおいて点灯されるＬＥＤ素子１３は、２個に限定されず、２個以上の３個であっても４個であってもよい。
【００３９】
第５実施形態の照明器具５０によれば、常夜灯として、複数のＬＥＤ素子１３のうちの２個が同時に点灯または調光されるために、常夜灯として、複数のＬＥＤ素子１３のうちの１個が点灯または調光される場合と比べて、片方のＬＥＤ素子１３が寿命に到達したとしても、真っ暗になることを防止できる。
【００４０】
（第６実施形態）
次に、本発明に係る第６実施形態の照明器具について説明する。
図１５に示すように、本発明に係る第６実施形態の照明器具６０は、照明負荷部６１に、丸形の器具本体６２の下面に配置された円形の板形状のＬＥＤ基板６３の下面に複数のＬＥＤ素子１３が実装されている。
【００４１】
照明負荷部６１は、常夜灯モードが設定されることにより、全てのＬＥＤ素子１３のうちの中央部の選択された２個のＬＥＤ素子１３が点灯または調光され、他のＬＥＤ素子１３が消灯される。照明負荷部６１は、中央部の２個のＬＥＤ素子１３が常夜灯として機能する。
【００４２】
（第７実施形態）
次に、本発明に係る第７実施形態の照明器具について説明する。
図１６に示すように、本発明に係る第７実施形態の照明器具７０は、照明負荷部７１が、スクエア形の器具本体７２の下面に配置された四角形の板形状のＬＥＤ基板７３の下面に複数のＬＥＤ素子１３が実装されている。照明器具７０は、図１２に示したものと同様の回路が適用される。
【００４３】
照明負荷部７１は、電源が投入される毎に、常夜灯となるＬＥＤ素子１３の点灯位置が移動されて記憶される。すなわち、電源が投入されると、図１６中の一番左に示すように、上から３列目および４列目の一番左の２個のＬＥＤ素子１３が点灯され、次に、図１６中の左から２番目に示すように、上から３列目および４列目の左から２番目の２個のＬＥＤ素子１３が点灯され、以後、図１６中の上から３列目および４列目の２個のＬＥＤ素子１３が右方向に順次に点灯されていく。
【００４４】
（第８実施形態）
次に、本発明に係る第８実施形態の照明器具について説明する。
図１７に示すように、本発明に係る第８実施形態の照明器具８０は、照明負荷部８１に、丸形の器具本体８２の下面に配置された円形の板形状のＬＥＤ基板８３の下面に複数のＬＥＤ素子１３が実装されている。照明器具８０は、図１２に示したものと同様の回路が適用される。
【００４５】
照明負荷部８１は、電源が投入される毎に、常夜灯となるＬＥＤ素子１３の点灯位置が移動されて記憶される。すなわち、電源が投入されると、図１７中の一番左に示すように、中央部の左方および上方の２個のＬＥＤ素子１３が点灯され、次に、図１７中の左から２番目に示すように、中央部の左方および下方の２個のＬＥＤ素子１３が点灯され、以後、図１７中の中央部の４個のＬＥＤ素子１３が反時計回転方向に２個ずつ順次に点灯されていく。
【００４６】
（第９実施形態）
次に、本発明に係る第９実施形態の照明器具について説明する。
図１８に示すように、本発明に係る第９実施形態の照明器具９０は、照明負荷部９１に、スクエア形の器具本体９２の下面に配置された四角形の板形状のＬＥＤ基板９３の下面に複数のＬＥＤ素子１３が実装されている。
【００４７】
照明負荷部９１は、常夜灯モードが設定されることにより、全てのＬＥＤ素子１３のうちのＬＥＤ基板９３の周囲である四隅に配置されている４個のＬＥＤ素子１３が点灯または調光され、他のＬＥＤ素子１３が消灯される。照明負荷部９１は、四隅に配置されている４個のＬＥＤ素子１３が常夜灯として機能する。
なお、照明負荷部９１は、電源が投入される毎に、常夜灯となるＬＥＤ素子１３の点灯位置が移動されて記憶されるようにしてもよい。
【００４８】
図１９に示すように、常夜灯として、ＬＥＤ基板の中央部に配置されたＬＥＤ素子が設定された照明器具５００の場合、ＬＥＤ素子が有する照射角の狭さにより、中央部のみが明るくなり、壁面等の側面９４および床面９５が極端に暗くなって具合が悪い。
図２０に示すように、これに対して、常夜灯として、全てのＬＥＤ素子１３のうちのＬＥＤ基板９３の四隅に配置されている４個のＬＥＤ素子１３が点灯または調光されることにより、ＬＥＤ素子１３が有する照射角の狭さが補われて、側面９４および床面９５が明るく照射される。
【００４９】
第９実施形態の照明器具９０によれば、常夜灯として、周囲に配置される複数のＬＥＤ素子１３が点灯または調光されるために、ＬＥＤ素子１３が有する照射角の狭さを補って均一な照明環境を提供できる。
【００５０】
（第１０実施形態）
次に、本発明に係る第１０実施形態の照明器具について説明する。
図２１に示すように、本発明に係る第１０実施形態の照明器具１００は、照明負荷部１０１に、丸形の器具本体１０２の下面に配置された円形の板形状のＬＥＤ基板１０３の下面に複数のＬＥＤ素子１３が実装されている。
【００５１】
照明負荷部１０１は、常夜灯モードが設定されることにより、全てのＬＥＤ素子１３のうちのＬＥＤ基板１０３の周囲に等間隔に配置されている４個のＬＥＤ素子１３が点灯または調光され、他のＬＥＤ素子１３が消灯される。照明負荷部１０１は、周囲に配置されている４個のＬＥＤ素子１３が常夜灯として機能する。
なお、照明負荷部１０１は、電源が投入される毎に、常夜灯となるＬＥＤ素子１３の点灯位置が移動されて記憶されるようにしてもよい。
【００５２】
なお、本発明の照明器具において器具本体，ＬＥＤ素子，電源部，制御部等は、前述した各実施形態に限定されるものでなく、適宜な変形や改良等が可能である。
【符号の説明】
【００５３】
１０，２０，３０，４０，５０，６０，７０，８０，９０，１００  照明器具
１２，２１，３１，４１，５１，６１，７１，８１，９１，１０１  照明負荷部
１３  ＬＥＤ素子
１４  電源部
１５  制御部
【図１】
0005628626.tif 000002
【図２】
0005628626.tif 000003
【図３】
0005628626.tif 000004
【図４】
0005628626.tif 000005
【図５】
0005628626.tif 000006
【図６】
0005628626.tif 000007
【図７】
0005628626.tif 000008
【図８】
0005628626.tif 000009
【図９】
0005628626.tif 000010
【図１０】
0005628626.tif 000011
【図１１】
0005628626.tif 000012
【図１２】
0005628626.tif 000013
【図１３】
0005628626.tif 000014
【図１４】
0005628626.tif 000015
【図１５】
0005628626.tif 000016
【図１６】
0005628626.tif 000017
【図１７】
0005628626.tif 000018
【図１８】
0005628626.tif 000019
【図１９】
0005628626.tif 000020
【図２０】
0005628626.tif 000021
【図２１】
0005628626.tif 000022